【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
電子写真画像形成装置に着脱可能なプロセスカートリッジにおいて，回転体と，回転体を支持し，現像剤を収容するための収容容器と，前記収容容器の端部から現像剤がもれることを防止するための端部シール部材を有し，前記端部シール部材は弾性部材と粘着層から成り，前記粘着層が弾性部材の一面の一部を覆っていることを特徴とするプロセスカートリッジ。
【請求項２】
前記端部シール部材の弾性部材を弾性発泡部材で構成したことを特徴とする請求項１に記載のプロセスカートリッジ。
【請求項３】
前記端部シール部材の粘着層が両面テープであることを特徴とする請求項１に記載のプロセスカートリッジ。
【請求項４】
電子写真感光体と，前記電子写真感光体上の現像剤を除去するためのクリーニング部材と，前記クリーニング部材によって前記電子写真感光体から除去された現像剤を収容するクリーニング容器と，前記クリーニング容器内の現像剤が前記クリーニング部材の端部からもれることを防止するための端部シール部材を有するクリーニング装置において，前記端部シール部材は弾性部材と粘着層から成り，前記粘着層が弾性部材の一面の一部を覆っていることを特徴とするクリーニング装置。
【請求項５】
前記端部シール部材の弾性部材を弾性発泡部材で構成したことを特徴とする請求項４に記載のクリーニング装置。
【請求項６】
前記端部シール部材の粘着層が両面テープであることを特徴とする請求項４に記載のクリーニング装置。
【請求項７】
電子写真感光体と，前記電子写真感光体上の現像剤を除去するためのクリーニング部材と，前記クリーニング部材によって前記電子写真感光体から除去された現像剤を収容するクリーニング容器と，前記クリーニング容器内の現像剤が前記クリーニング部材の端部からもれることを防止するため，前記クリーニング部材の両端下部に配設された端部シール部材を有するクリーニング装置において，前記端部シール部材は弾性部材と粘着層から成り，前記粘着層が弾性部材の一面の一部を覆っていることを特徴とするクリーニング装置。
【請求項８】
前記端部シール部材の弾性部材を弾性発泡部材で構成したことを特徴とする請求項７に記載のクリーニング装置。
【請求項９】
前記端部シール部材の粘着層が両面テープであることを特徴とする請求項７に記載のクリーニング装置。
【請求項１０】
電子写真感光体と，前記電子写真感光体上の現像剤を除去するためのクリーニング部材と，前記クリーニング部材によって前記電子写真感光体から除去された現像剤を収容するクリーニング容器と，前記クリーニング容器内の現像剤が前記クリーニング部材の端部からもれることを防止するため，前記クリーニング部材の両端下部，及びクリーニング容器に当接するように配設された端部シール部材を有するクリーニング装置において，前記端部シール部材は弾性部材と粘着層から成り，前記粘着層が弾性部材の一面の一部を覆っており，前記端部シール部材は粘着層のない側をクリーニング容器端面に押圧して取り付けることを特徴とするクリーニング装置。
【請求項１１】
前記端部シール部材の弾性部材を弾性発泡部材で構成したことを特徴とする請求項１０に記載のクリーニング装置。
【請求項１２】
前記端部シール部材の粘着層が両面テープであることを特徴とする請求項１０に記載のクリーニング装置。
【請求項１３】
電子写真感光体と，現像剤を収容した現像容器と，現像剤を担持して電子写真感光体へ現像剤を搬送する現像剤担持体と，現像剤担持体上に担持された現像剤の量を規制する規制部材と現像剤担持体の両端部の周面に当接して，現像容器から現像剤のもれを防止するための端部シール部材を有する現像装置において，前記端部シール部材は弾性部材と粘着層から成り，前記粘着層が弾性部材の一面の一部を覆っていることを特徴とする現像装置。
【請求項１４】
前記端部シール部材の粘着層が両面テープであることを特徴とする請求項１３に記載の現像装置。
【請求項１５】
電子写真感光体と，現像剤を収容した現像容器と，現像剤を担持して電子写真感光体へ現像剤を搬送する現像剤担持体と，現像剤担持体上に担持された現像剤の量を規制する規制部材と現像剤担持体の両端部の周面に当接して，現像容器から現像剤のもれを防止するための端部シール部材を有する現像装置において，前記端部シール部材は弾性部材と粘着層から成り，前記粘着層が弾性部材の一面の一部を覆っており，前記端部シール部材は粘着層のない側を前記現像容器端面に押圧して取り付けることを特徴とする現像装置。
【請求項１６】
前記端部シール部材の粘着層が両面テープであることを特徴とする請求項１５に記載の現像装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
本発明に係る第４の発明は，電子写真感光体と，前記電子写真感光体上の現像剤を除去するためのクリーニング部材と，前記クリーニング部材によって前記電子写真感光体から除去された現像剤を収容するクリーニング容器と，前記クリーニング容器内の現像剤が前記クリーニング部材の端部からもれることを防止するための端部シール部材を有するクリーニング装置において，前記端部シール部材は弾性部材と粘着層から成り，前記粘着層が弾性部材の一面の一部を覆っていることを特徴とするクリーニング装置。


【手続補正４】
【補正対象書類名】明細書
【補正対象項目名】００１５
【補正方法】変更
【補正の内容】
【００１５】
本発明に係る第５の発明は，前記端部シール部材の弾性部材を弾性発泡部材で構成したことを特徴とする第４の発明に記載のクリーニング装置。


【手続補正５】
【補正対象書類名】明細書
【補正対象項目名】００１６
【補正方法】変更
【補正の内容】
【００１６】
本発明に係る第６の発明は，前記端部シール部材の粘着層が両面テープであることを特徴とする第４の発明に記載のクリーニング装置。


【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
本発明に係る第７の発明は，電子写真感光体と，前記電子写真感光体上の現像剤を除去するためのクリーニング部材と，前記クリーニング部材によって前記電子写真感光体から除去された現像剤を収容するクリーニング容器と，前記クリーニング容器内の現像剤が前記クリーニング部材の端部からもれることを防止するため，前記クリーニング部材の両端下部に配設された端部シール部材を有するクリーニング装置において，前記端部シール部材は弾性部材と粘着層から成り，前記粘着層が弾性部材の一面の一部を覆っていることを特徴とするクリーニング装置。


【手続補正９】
【補正対象書類名】明細書
【補正対象項目名】００２０
【補正方法】変更
【補正の内容】
【００２０】
本発明に係る第８の発明は，前記端部シール部材の弾性部材を弾性発泡部材で構成したことを特徴とする第７の発明に記載のクリーニング装置。


【手続補正１０】
【補正対象書類名】明細書
【補正対象項目名】００２１
【補正方法】変更
【補正の内容】
【００２１】
本発明に係る第９の発明は，前記端部シール部材の粘着層が両面テープであることを特徴とする第７の発明に記載のクリーニング装置。


【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
本発明に係る第１０の発明は，電子写真感光体と，前記電子写真感光体上の現像剤を除去するためのクリーニング部材と，前記クリーニング部材によって前記電子写真感光体から除去された現像剤を収容するクリーニング容器と，前記クリーニング容器内の現像剤が前記クリーニング部材の端部からもれることを防止するため，前記クリーニング部材の両端下部，及びクリーニング容器に当接するように配設された端部シール部材を有するクリーニング装置において，前記端部シール部材は弾性部材と粘着層から成り，前記粘着層が弾性部材の一面の一部を覆っており，前記端部シール部材は粘着層のない側をクリーニング容器端面に押圧して取り付けることを特徴とするクリーニング装置。


【手続補正１４】
【補正対象書類名】明細書
【補正対象項目名】００２５
【補正方法】変更
【補正の内容】
【００２５】
本発明に係る第１１の発明は，前記端部シール部材の弾性部材を弾性発泡部材で構成したことを特徴とする第１０の発明に記載のクリーニング装置。


【手続補正１５】
【補正対象書類名】明細書
【補正対象項目名】００２６
【補正方法】変更
【補正の内容】
【００２６】
本発明に係る第１２の発明は，前記端部シール部材の粘着層が両面テープであることを特徴とする第１０の発明に記載のクリーニング装置。


【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】変更
【補正の内容】
【００２９】
本発明に係る第１３の発明は，電子写真感光体と，現像剤を収容した現像容器と，現像剤を担持して電子写真感光体へ現像剤を搬送する現像剤担持体と，現像剤担持体上に担持された現像剤の量を規制する規制部材と現像剤担持体の両端部の周面に当接して，現像容器から現像剤のもれを防止するための端部シール部材を有する現像装置において，前記端部シール部材は弾性部材と粘着層から成り，前記粘着層が弾性部材の一面の一部を覆っていることを特徴とする現像装置。


【手続補正１９】
【補正対象書類名】明細書
【補正対象項目名】００３０
【補正方法】変更
【補正の内容】
【００３０】
本発明に係る第１４の発明は，前記端部シール部材の粘着層が両面テープであることを特徴とするに第１３の発明に記載の現像装置。


【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】変更
【補正の内容】
【００３３】
本発明に係る第１５の発明は，電子写真感光体と，現像剤を収容した現像容器と，現像剤を担持して電子写真感光体へ現像剤を搬送する現像剤担持体と，現像剤担持体上に担持された現像剤の量を規制する規制部材と現像剤担持体の両端部の周面に当接して，現像容器から現像剤のもれを防止するための端部シール部材を有する現像装置において，前記端部シール部材は弾性部材と粘着層から成り，前記粘着層が弾性部材の一面の一部を覆っており，前記端部シール部材は前記現像容器端面に押圧して取り付けることを特徴とする現像装置。


【手続補正２３】
【補正対象書類名】明細書
【補正対象項目名】００３４
【補正方法】変更
【補正の内容】
【００３４】
本発明に係る第１６の発明は，前記端部シール部材の粘着層が両面テープであることを特徴とする第１５の発明に記載の現像装置。


【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】